(57)【要約】近くの物体を見るために遠近調節を行う眼内レンズの移植片（１０）は、可撓性の薄膜（３０）内の中央に配置された光学部（２０）と、この可撓性の薄膜から外側に伸びる少なくとも１つの触覚部（４０）とを含む。この可撓性の薄膜は、使用時に、眼の基体によって行われる遠近調節に応じて、光学部の平行移動を容易にするように適合されている。
2006518229.tif 000002
【特許請求の範囲】
【請求項１】
近くの物体を見るために遠近調節を行う眼内レンズの移植片であって、可撓性の薄膜内のほぼ中央に配置された光学部と、光学的基体の中にこの眼内レンズの移植片を固定するために前記可撓性の薄膜から外側に伸びる少なくとも１つの触覚部とを含み、前記可撓性の薄膜が、使用時に、前記眼の基体によって行われる遠近調節に応じて、前記光学部を前方及び後方へ平行移動するのを円滑にするように適合されていることを特徴とする眼内レンズの移植片。
【請求項２】
環形の可撓性の薄膜が、前記光学部の円周の周辺から横方向に伸びていることを特徴とする請求項１に記載の眼内レンズの移植片。
【請求項３】
前記可撓性の薄膜が伸縮自在であることを特徴とする請求項１又は２に記載の眼内レンズの移植片。
【請求項４】
前記可撓性の薄膜が弾力性を有することを特徴とする先行する請求項のいずれか１つに記載の眼内レンズの移植片。
【請求項５】
前記可撓性の薄膜がコンサーティーナ状であることを特徴とする先行する請求項のいずれか１つに記載の眼内レンズの移植片。
【請求項６】
前記可撓性の薄膜の最も外側の周辺端部が、環形のリムを備えていることを特徴とする先行する請求項のいずれか１つに記載の眼内レンズの移植片。
【請求項７】
前記環形のリムの断面が、円形、四角形、縦溝付き形、又はＬ字形であり、前記Ｌ字形の断面の基部が前記Ｌ字形の断面の垂直部分の後方に配置されていることを特徴とする請求項６に記載の眼内レンズの移植片。
【請求項８】
前記可撓性の薄膜の最も外側の端部が、前記環形のリムの最も後方に配置されていることを特徴とする請求項６又は７に記載の眼内レンズの移植片。
【請求項９】
前記触覚部が、前記可撓性の薄膜の前記環形のリムに固定され、そこから延びていることを特徴とする請求項６から８のいずれか１つに記載の眼内レンズの移植片。
【請求項１０】
前記触覚部が、前記眼の基体内において、嚢袋のレムナントの前方及び後方の小葉によってカプセル化され、前記触覚部がそこに確実に固定及び安定化されるように適合されており、これにより、前記眼の基体が遠近調節を行う際の毛様筋の収縮及び弛緩に応じた平行移動に対しても、前記触覚部が実質的に硬直し動かないようにされることを特徴とする前述した請求項のいずれか１つに記載の眼内レンズの移植片。
【発明の詳細な説明】
【技術分野】
【０００１】
本発明は、近くの物体を見るために遠近調節を行うための眼内レンズの移植片に関し、特に、毛様筋の収縮に対して光学部が前方移動を行う眼内レンズの移植片に関する。
【背景技術】
【０００２】
人間の眼は、網膜上に光を集束させる働きをするための２つの主要な屈折素子を有する。角膜は、約４３ジオプターに相当する眼の大部分の集束力を担う前方屈折面であり、一方約１９ジオプターの残りの力は、人間の眼の中に光を集束させる透明な構造をしている水晶体からのものである。
【０００３】
正常視とは、少し離れて見た物体が網膜上で焦点が合っているような、人間の眼の焦点の状態のことを言う。眼の軸方向の長さが、焦点が網膜の前にある場合の屈折エラーは近視として周知であり、焦点が網膜を超えた位置にある場合の屈折エラーは遠視と呼ばれる。眼の焦点が種々の環境で等しくない場合は、屈折エラーは近視又は遠視と関連付けることができる乱視として知られている。
【０００４】
角膜の力の大きさは固定されており、無限大よりも近い物体に対して焦点を維持する能力は、水晶体の焦点を変えることに依存する。人間のレンズは、小帯として周知の微細なフィラメントのファイバによって眼の壁に取り付けられる。この小帯はレンズの赤道領域を、毛様体筋として周知の環状筋によって囲まれた眼の壁の領域に取り付ける。正常視の個人の場合、遠方の物体を見る場合は、毛様体筋は弛緩され小帯は緊張している。レンズの弾性のあるカプセルは緊張しており、レンズの曲率はこれらの力によって影響を受けまた僅かに平らにされる。関心のある物体が近くの物体に変わる場合は、反射神経が毛様体を刺激して収縮させ、これによりレンズに対する小帯の結合を弛緩させる。これによりレンズの弾性のカプセル及び展性のあるレンズのファイバは一層球形になることができ、また後部の圧力の増加により、レンズは前方に移動する。両方の要因が、関心のある近くの物体が焦点内に留まるような必要な量だけレンズの集束力を増加させる。この工程は遠近調節と呼ばれる。
【０００５】
４０才まで人間の水晶体は、遠近調節の方法によって近くの物体を見るときの鮮明度を維持するために、その焦点距離を変更することができるが、この能力は次の２０年にわたって徐々に失われる。これは、レンズのファイバの剛性の増加、レンズの直径の増加、並びにカプセル及び小帯の弾性の考えられる減少を含む幾つかの要因に基づいて発生すると考えられる。この短焦点を実現することができないことを説明する屈折エラーは老眼として知られていて、５０才からの個人が読書用眼鏡を徐々に必要とするようになる理由である。
【０００６】
光路の中に配置された眼鏡又はコンタクトレンズにより、近視、遠視、又は乱視の患者の視覚を鮮明にするために焦点距離を補正することができる。老眼の補正には、読書用に眼鏡を分けること、二重焦点又は多焦点の眼鏡を使用することが含まれる。近距離及び遠距離を同時に視覚することは、近距離及び遠距離に対する焦点距離を同時に与える多焦点コンタクトレンズによって実現することができる。しかしながら、この方法は視覚におけるコントラストの減少に関連付けられ、多くの患者を当惑させる可能性がある。
【０００７】
つい最近、レーザ手術が、近視、遠視、又は乱視などの屈折エラーを補正するために角膜の曲率を変更することができることが判明した。有水晶体の眼内レンズを眼の前房の中又は虹彩の後に配置して、近視又は遠視を補正することができ、また屈折エラーを補正する目的で、レンズを眼内レンズの移植によって取り除き置き換えることができる。
【０００８】
外科手術も、老眼年令のグループの中で遠近調節を回復させるために提案されている。これらの手術には、年令と共に生ずる水晶体の膨張を抑制するために、球体の直径を広げる強膜移植が含まれる。角膜輪部における半径方向の切開も、同じ目的と考えられている。しかしながら、これらの方法は、十分に信頼できる又は予測可能であるとは証明されていない。レーザによる方法は、多焦点の屈折面を作るために角膜の曲率を変えることができる。角膜のストロマの中に収納される角膜移植も、同様の二重焦点又は多焦点屈折を作ることができる。最後に、回折面又は屈折面を有する眼内レンズは、複数の焦点を提供し、また遠く及び近くを見るために同時に焦点調節することを可能にするように構成することができる。これらのレンズは、水晶体を外科的に取り除いた後で移植するか又は有水晶体移植として水晶体の前に配置することができる。残念なことに、近く及び遠くを同時に見ることに依存する全ての外科的な方法は、コントラストが減少することによって妥協され、個々の患者を当惑させる可能性がある光の周りの光輪のような望ましくない効果に関連付けられることが多い。このため、若い個人の中の水晶体と同様の遠近調節ができる眼内レンズの開発は極めて望ましい。
【０００９】
白内障の形成として知られているレンズの混濁化は、老人の視力が落ちる共通した原因であり、外科的に補正することができる。現在の白内障の手術は、手作業のカプセル外の白内障摘出又は水晶体乳化処理によって行われる。手作業のカプセル外の白内障摘出には、１０ｍｍから１２ｍｍの切開を通って白内障の硬い核を絞り出す動作が含まれる。水晶体乳化処理は、核を寸断するために針から発送される超音波エネルギーを使用して、２．５ｍｍから３．２ｍｍの切開部を通って白内障を吸引することができる。非点収差として知られている角膜の曲率に歪みが生ずることを避けるために、白内障の手術では小さい切開が望ましい。両方の手術では、レンズの内容を取り除くことができるように、カプセルの前部が開かれる。しかしながら、嚢袋のレムナントがそのまま残され、自然の水晶体の集束力を置き換えるために、白内障を取り除いた後で挿入される眼内レンズの移植が行われる。白内障のレンズ又は水晶体を取り替えるために、眼内レンズの移植を行うことは周知である。レンズの強さは、患者が正常視になるように、すなわち、遠方の物体に対して明瞭な焦点が得られるように、手術の前に正確に選択することができる。眼内レンズの移植には、光学部（オプティック）として周知の中心集束素子と、触覚部（ハプティック）として周知の周辺支持構造体とが一般に含まれる。眼内レンズの触覚部は、固定及び安定性を確実にするために、嚢袋のレムナントの前後の小葉状部分と相互作用する外側に伸びた支持素子である。眼内レンズの光学部及び触覚部は、ポリメチルメタクリレートなどの透明な剛性のプラスチック材料又はアクリル、シリコーン又はヒドロゲルポリマーなどの可撓性のプラスチック材料から製造することができる。可撓性の材料から製造される眼内レンズの移植は、眼の強膜又はアウターコートの中の小さい切開部から挿入できるようにレンズを折り重ね、次にその元の大きさに広げることができるため、剛性の材料から作られるものよりも好ましい。
【００１０】
眼内レンズの光学部及び触覚部は、一体のユニットとして同じ材料から作ることができるし、又は触覚部を種々の仕組みを用いて光学部に取り付けることができる。光学部に１つ又は複数の触覚部を取り付けてもよいが、２つの触覚部が光学部から正反対に外側に伸びる構成にするのが最も一般的な構成である。触覚部の目的は、白内障すなわちレンズを抜き取った後で、元のレンズの嚢袋のレムナントの中で光学部の中心化を最適にすること及び移植片を固定する手段を提供することである。触覚部が嚢袋の周囲に一致して、眼内レンズの移植片と嚢袋との間の接触する表面積をより大きくし、また光学部が確実に中心に来るようにすることが好ましい。
【００１１】
触覚部を、虹彩の根元と毛様体突起との間の毛様溝として知られる領域に配置して、虹彩の後の前嚢の前にレンズを移植することも可能である。前述したように、近視又は遠視などの屈折エラーを補正するために、眼内レンズを有水晶体眼の中に挿入することもできる。これらの環境では、触覚部を毛様溝の中で保持して、眼内レンズの移植片を虹彩の後の水晶体の前に配置することができる。さらに、有水晶体眼の中の移植の別の場所として、触覚部を前房の角度の中に配置して、眼内レンズを前房の中の虹彩の前に挿入することができる。
【００１２】
全てのこれらの事例では、触覚部は嚢袋の周辺に、又は有水晶体眼の中の毛様溝又は前房の角度に一致することが好ましい。従来技術は、眼内レンズの移植片と嚢袋との間の接触する表面積を最大にするように求める、フランジ形又はループ形を含む幾つかの触覚部の設計を開示している。最も一般的な設計には、光学部の正反対の点で取り付けられる２つのループ形の触覚部が含まれる。この点では、触覚部の末端は嚢袋の周囲に向かってアーチ形に伸びる。
【００１３】
眼内レンズの移植片の固定及び安定性は、眼内レンズを支持する触覚部の剛性だけに依存するのではなく、移植片の光学部と嚢袋の周囲と接触する触覚部の末端との間の間隔の中の前方及び後方の嚢の小葉の融合（fusion of leaflets）にも依存する。融合が発生する最大の機会を提供するために、間隔をできるだけ大きく維持することが好ましい。
【００１４】
嚢袋が手術後に収縮することは、珍しい出来事ではない。嚢袋が収縮しないようにする剛性の触覚部によって、又は嚢袋が縮小する場合に触覚部の末端と光学部との間の間隔を維持するように、触覚部を可撓性のプラスチックから製造する設計によって、前述した間隔は維持することができる。それぞれの個人で生ずる様々な大きさの嚢袋及び手術後の段階の間に発生する程度の異なる収縮を設計が受け入れる必要があるため、触覚部は圧縮可能であることが好ましい。
【００１５】
しかしながら、現在の触覚部設計についての明確な欠点は、触覚部の末端と触覚部の光学部に向かう光学接合部との間の任意の点で触覚部の末端は曲げられて、触覚部の末端と光学部との間の間隔は、前部及び後部の嚢の小葉の移動性融合（migratory fusion）が発生できない程度まで減少することである。本発明者は触覚部の設計を説明した（国際公開第００／０１３２３号パンフレット）。この設計は、触覚部の末端と光学部との間の間隔を維持し、触覚部の末端部の嚢袋の周辺部に対する整合性をより良好にする。
【００１６】
遠近調節の効果が可能な眼内レンズについての以前の説明には、近い物体に対して焦点合わせしている間に、光学レンズの曲率を増加するように、又はレンズの位置を変化させるように構成されたレンズが含まれる。後者の場合、遠近調節を行う場合に光学部を前方へ平行移動することを可能にするためにヒンジを有するように構成された触覚部が付いたレンズが含まれる。このことは、毛様体の収縮によって生じた眼球の後部におけるガラス質又は液体の圧力の増加に起因して発生する。しかしながら、この種類の眼内レンズの遠近調節の効果は、個々の患者により大きく変化する。ヒンジ付きの触覚部を有する眼内レンズについての予測できない結果は、白内障の手術又は同様の技術によって正常な水晶体を除去した後で、嚢袋の中に配置された移植片により生ずる固定の違いに起因する。触覚部及び光学部の端部に対して前部嚢袋の小葉が重なり合う量は、後部の嚢に対する前嚢の小葉が融合する程度及び面積のように可変である。このばらつきは、遠近調節を行う場合に毛様体の収縮に応じて光学部を前方へ動かすことを可能にするヒンジ付きの触覚部の能力を妨げ、現在の順応的な眼内の移植片の中で生じている予測できない遠近調節の効果の中の重要な要素である。
【００１７】
本発明は、前述した幾つかの欠点の少なくとも一部を克服するものである。
【発明の開示】
【００１８】
本発明の第１の態様によれば、近くの物体を見るために遠近調節を行う眼内レンズの移植片が提供され、この眼内レンズの移植片は、可撓性の薄膜内のほぼ中央に配置された光学部と、光学的基体の中にこの眼内レンズの移植片を固定するために前記可撓性の薄膜から外側に伸びる少なくとも１つの触覚部を含み、前記可撓性の薄膜は、使用時に、前記眼の基体によって行われる遠近調節に応じて、前記光学部の平行移動を円滑にするように適合されている。
【００１９】
以下、本発明を一例である添付の図面を参照して説明する。
【発明を実施するための最良の形態】
【００２０】
図面を参照する。これらの図面では、同じ番号及び記号は全体を通して同じ部分を指す。図に示すように、眼内レンズの移植片１０は、可撓性の薄膜３０内に配置された光学部２０と、この可撓性の薄膜３０から外側に伸びる一対の正反対に配置された触覚部４０とを含む。
【００２１】
この光学部２０はほぼ円形の凸形部材であり、ポリメチルメタクリレートなどの透明な硬質のプラスチック材料、又は好ましくはアクリル、シリコーン又は適当なヒドロゲルなどの可撓性のプラスチック材料から製造することができる。可撓性のプラスチック材料によれば、光学部２０を折り曲げて、眼の強膜又はアウターコート内の小さい切開に挿入することができる。その後、光学部２０は移植された生体内で自身の元の形状に戻る。
【００２２】
光学部２０は、対称型の両凸形、前方により急峻な半径を有する非対称型の両凸形、又は平凸形とすることができる。この光学部２０は、直径が約５．０ｍｍであることが好ましい。
【００２３】
光学部２０が幅約０．０５ｍｍから０．５ｍｍまでの可撓性の薄膜３０の環状部３２によって取り囲まれるように、光学部２０は可撓性の薄膜３０の中のほぼ中央に配置される。この幅は、可撓性の部材３０が形成されるプラスチック材料の機械的な特性に依存する。可撓性の薄膜３０の環状部３２は、光学部２０の円周の周辺部２２から横方向に伸びる。可撓性の薄膜３０は、図５に示すように、弾性的に引き伸ばすことができるようなコンサーティーナ状の外観を有して、これにより光学部２０を前方及び後方に容易に移動できるようにすることもできる。一般的に、可撓性の薄膜３０は伸縮性とすることもできる。
【００２４】
眼の基体が遠近調節を行う際、毛様筋が収縮すると、可撓性の薄膜３０の特性が可撓性で弾性であるため、光学部２０が図２に示した後方の第１の位置から、図３に示した前方の第２の位置に容易に前方に移動する。一定の範囲で、本発明の光学部２０の前方移動の程度は、可撓性の薄膜３０の幅、可撓性の薄膜３０の弾力性、又はコンサーティーナ状の可撓性の薄膜３０を、遠近調節する間に毛様筋の収縮によって発生した可撓性の薄膜３０上の眼の基体の後部におけるガラス質又は液体によって作用された圧力に応答して弾性的に引き伸ばすことができる程度に依存する。
【００２５】
可撓性の薄膜３０の最も外側の周辺端部３４は、ほぼ環形で比較的硬質のリム３６を備えている。眼内レンズの移植片１０が折り畳まれて小さな切開部を通って挿入されるように計画される場合は、このリム３６は折り曲げられ、次に一旦生体内に移植されるとその元の形状に回復できるように、実質的に可撓性および弾力性がなければならない。
【００２６】
環形のリム３６の断面図は、円形、図２及び図３に示すように四角形、又は縦溝付きとすることができることは理解されよう。さらに、図４を参照すると、リム３６の断面はＬ字形とすることができ、その断面の基部はＬ字形のリムの垂直部分の後方に配置される。可撓性の薄膜３０の最も外側の端部３４は、光学部２０及び薄膜３０が嚢袋のレムナントと密接に接触を続けるように、できるだけ後方に、リム３６の最も後方に配置されることが好ましい。
【００２７】
眼内レンズの移植片１０の好ましい実施形態では、各触覚部４０は、屈曲部４４によって相互接続される第１の部分４２と第２の部分４６とを含む。触覚部４０の屈曲部材４４から遠位の第１の部分４２の端部は、触覚部−薄膜の接合部４９において可撓性の薄膜３０の環形のリム３６に取り付けられる。各触覚部４０の第１の部分４２は、環形のリム３６から時計回りの方向に弓形に外側に伸びる。
【００２８】
触覚部４０の第２の部分４６は、屈曲部４４から反時計回りの方向に弓形に外側に向かって伸びる。本発明の別の実施形態では、もう１つの方法として、第１の部分４２が環形のリム３６から反時計回りの方向に弓形に外側に向かって伸び、第２の部分４６が屈曲部４４から時計回りの方向に弓形に外側に伸びることができることは理解されよう。触覚部４０の第２の部分４６の自由端部は、触覚部４０の触覚部終端部４５を含む。
【００２９】
触覚部４０は、ポリメチルメタクリレートから、又は好ましくはアクリル、シリコーン又はヒドロゲルなどの可撓性のプラスチック材料から製造することができる。
【００３０】
触覚部４０の第１の部分４２は、それぞれ正反対の位置で環形のリム３６に取り付けられることが好ましい。換言すると、触覚部−薄膜の接合部４９は環形のリム３６の周りで等しい角度で間隔を置いて配置される。
【００３１】
使用にあたっては、触覚部４０は、嚢袋が手術後に収縮することで触覚部４０が圧縮される場合に生じる屈曲に対して２つの平衡点４３，４７を与えることによって、それぞれの触覚部終端部４５が嚢袋に対して最適に適合することを容易にする。このことは次のように触覚部４０によって達成される、すなわち、触覚部４０の第１の部分４２が可撓性の薄膜３０の環形のリム３６から弓形に外側に伸び、また触覚部終端部４５が嚢袋と接触する周辺領域に対して屈曲部４４が触覚部−薄膜の接合部４９の反対側に配置されるように、触覚部４０の第２の部分４６が方向を逆にする。
【００３２】
屈曲部４４から遠位の屈曲点４３における触覚部４０の第２の部分４６の圧縮は、触覚部４０の触覚部終端部４５を光学部２０及び可撓性の薄膜３０に向かって傾斜させる傾向があり、これにより光学部２０と移植片の可撓性の薄膜３０との間の間隔を減少させ、また触覚部４０の触覚部終端部４５が嚢袋の周辺部と接触する。この傾向は本発明の中で平衡される、すなわち本発明では、屈曲部４４に近位の屈曲点４７における触覚部４０の第２の部分４６の圧縮は、光学部２０と移植片の可撓性の薄膜３０との間の間隔を減少させる傾向があり、また触覚部４０の屈曲部４４は触覚部の第２の部分４６の周辺の弓形を結果として拡張させ、これにより光学部２０と移植片の可撓性の薄膜３０との間の間隔を増加させ、また触覚部４０の終端部４５が嚢袋の周辺部と接触する。
【００３３】
１つ又は複数の触覚部４０が可撓性の薄膜３０のリム３６に取り付けられ、触覚部４０の終端部４５が同一又は反対の方向に伸びる場合、それは本発明の範囲内であると考えられる。説明したもの以外の別の触覚部４０は、本発明の範囲の中にあるとみなされることも理解されよう。
【００３４】
眼の基体が遠近調節をしようとする場合、毛様筋が収縮し、可撓性で弾力がある薄膜３０の柔軟性に富んだ弾力的な特性により、光学部２０が図２に示した第１の位置から図３に示した第２の位置まで前方移動することが容易にされる。可撓性の薄膜３０は、遠近調節を行う間に毛様筋の収縮及び弛緩によってもたらされた、可撓性の薄膜３０上の眼の基体の後部の中のガラス質又は液体が作用した圧力に応答して、光学部２０を前方及び後方に容易に移動できるようにする。前方移動の大きさは、眼内レンズの移植片１０を含む嚢袋の表面積に加えられる圧力の程度及び／又は圧力が加えられる表面積の寸法のいずれかによって決定される。
【００３５】
一般に、前述したようなヒンジ付き触覚部を有する眼内レンズなどの従来技術のシステムでは、眼内の移植片を含む嚢袋の全表面は、約１０．５ｍｍの直径を有し、この表面積は約８６．５９ｍｍ2となる。それに対して、本発明の眼内レンズ１０の光学部２０及び可撓性の薄膜３０上で動作する嚢袋の部分は、直径が約６ｍｍで、この表面積は約２８．２７ｍｍ2である。同じ圧力を受ける表面積の大きさの相違により、本発明の光学部２０が前方移動する場合、他の従来技術のシステムと比較すると約３倍の増加になり、このことは、その拡大を高める。眼内レンズの移植片が１ｍｍ前方移動することは、約２ジオプターの光学部の光学的な能力に依存する付加的で有効な能力を提供するに十分であるため、移動が増加することは特に好都合である。
【００３６】
従来技術のシステムと比較すると、本発明により認められた光学部２０の前方移動が増加することは、下記の公式によって容易に説明される。体積Ｖ1＝ａ1ｘ1とする。ここで、Ｖ1は従来技術の嚢袋−眼内レンズの移植片の複合体上で動作するガラス状の液体の体積、ａ1は従来技術の嚢袋−眼内レンズの移植片の複合体の表面積、またｘ1は従来技術の嚢袋−眼内レンズの移植片の複合体の前方移動である。
【００３７】
体積Ｖ2＝ａ2ｘ2とする。ここで、Ｖ2は本発明の光学部２０及び可撓性の薄膜３０上で動作するガラス状の液体の体積、ａ2は本発明の光学部２０及び可撓性の薄膜３０の表面積、またｘ2は本発明の光学部２０及び可撓性の薄膜３０の前方移動である。
【００３８】
ガラス状の液体の体積はそれぞれの場合は同じであるため、Ｖ1＝Ｖ2とし、本発明の光学部２０及び可撓性の薄膜３０の表面積は従来技術の嚢袋−眼内レンズの移植片の複合体の表面積よりも小さいためａ2＜ａ1とする。
【００３９】
任意の所定の温度Ｔにおいて、Ｐ1Ｖ1＝ｎＲＴである。ここで、Ｐ1は従来技術の嚢袋−眼内レンズの移植片の複合体上のガラス状の液体によって与えられる圧力である。
【００４０】
任意の所定の温度Ｔにおいて、Ｐ2Ｖ2＝ｎＲＴである。ここで、Ｐ2は本発明の光学部２０及び可撓性の薄膜３０上のガラス状の液体によって与えられる圧力である。
Ｐ1＝Ｐ2とすると、
Ｐ1＝ｎＲＴＶ1＝ｎＲＴａ1ｘ1
Ｐ2＝ｎＲＴＶ2＝ｎＲＴａ2ｘ2
ｎＲＴａ1ｘ1＝ｎＲＴａ2ｘ2
ａ2＜ａ1の場合ｘ2＞ｘ1となる。
【００４１】
この特定の実施形態では、薄膜３０に取り付けられた触覚部４０は、嚢袋のレムナントの前方及び後方の小葉によってカプセル化されて確実に固定及び安定化され、これにより遠近調節を行う場合に毛様筋の収縮及び弛緩を受けても、触覚部４０は十分に硬直し動かないようにされる。従来技術、特にＣｕｍｍｉｎｇの米国特許第６４９４９１１号明細書の中で説明されているようなヒンジ付きの触覚部に依存する眼内レンズの移植片とは対照的に、本発明の眼内の移植片１０の光学部２０が前方に移動することは、触覚部の移動性又はその柔軟性に依存しない。従来技術のレンズの移植片による遠近調節の効果は嚢袋−眼内レンズの移植片の複合体の前方移動に依存するが、触覚部４０を含む移植片１０の周辺領域は安定しているため、光学部２０及び可撓性の薄膜３０に対する前方への並進移動が容易にされるだけである。眼の基体に固定された触覚部４０を残して、光学部２０のみを容易に前方移動するために可撓性の薄膜３０を使用するという考えは、従来技術と比較した場合、独特であると思われる。
【００４２】
当業者が思いつくような修正例及び変形例は、本発明の範囲の中にあると判断される。
【図面の簡単な説明】
【００４３】
【図１】本発明に係る眼内レンズの移植片の平面図である。
【図２】図１の眼内レンズの移植片の第１の位置における第１の側面図である。
【図３】図１及び図２の眼内レンズの移植片の第２の位置における第２の側面図である。
【図４】本発明に係る眼内レンズの移植片の別の実施形態の側面図である。
【図５】本発明に係る眼内レンズの移植片のさらに別の実施形態の側面図である。
【図１】
2006518229.tif 000003
【図２】
2006518229.tif 000004
【図３】
2006518229.tif 000005
【図４】
2006518229.tif 000006
【図５】
2006518229.tif 000007
【国際調査報告】
2006518229.tif 000008
2006518229.tif 000009